(57)【要約】【課題】粃の脱ぷ率を高めて籾摺能率を向上させるインペラ羽根式籾摺装置。【解決手段】籾摺軸４１に並列して取り付けられている大径の第１インペラ羽根４２，…、第２インペラ羽根４４，…を第１籾摺ケース４３、第２籾摺ケース４５で被覆して第１・第２籾摺装置を構成し、これら第１・第２籾摺ケース４３，４５の何れか一方を精籾籾摺用とし、何れか他方を粃籾摺用とする。籾ホッパ６の元籾を元籾移送筒４７を経由して精籾籾摺用及び粃籾摺用の籾摺ケースに供給可能に構成し、元籾移送筒４７には粃籾摺用の籾摺ケースに供給状態としたり、あるいは、遮断状態に切り替える供給切替弁５０を設ける。摺出米風選部２で風選された粃を粃移送筒５１により粃籾摺用の籾摺ケースに供給して籾摺作業をする。【選択図】        図８
2005066474.tif 000002
【特許請求の範囲】
【請求項１】
籾摺軸４１に並列して取り付けられている大径の第１インペラ羽根４２，…、小径の第２インペラ羽根４４，…を第１籾摺ケース４３、第２籾摺ケース４５で夫れ夫れ被覆して第１・第２籾摺装置を構成し、これら第１・第２籾摺ケース４３，４５の何れか一方を精籾籾摺用とし、何れか他方を粃籾摺用とし、籾ホッパ６の元籾を元籾移送筒４７を経由して前記第１・第２籾摺ケース４３，４５に供給可能に構成し、前記元籾移送筒４７には粃籾摺用の籾摺ケースに供給状態としたりあるいは遮断状態に切り替える供給切替弁５０を設け、摺出米風選部２の粃受樋１１に風選された粃を粃籾摺用の前記籾摺ケースに供給するように構成したことを特徴とするインペラ羽根式籾摺装置。
【請求項２】
籾摺軸４１に並列して取り付けられている大径の第１インペラ羽根４２，…、小径の第２インペラ羽根４４，…を第１籾摺ケース４３、第２籾摺ケース４５で夫れ夫れ被覆して第１・第２籾摺装置を構成し、これら第１・第２籾摺ケース４３，４５の何れか一方を精籾籾摺用とし、何れか他方を粃籾摺用とし、籾ホッパ６の元籾を移送する元籾移送筒４７を精籾移送用の籾摺ケースに連通しに、前記元籾移送筒４７には粃の漏下するスリット孔５３を設けて該スリット孔５３から漏下した粃を粃籾摺用の籾摺ケースに供給可能に構成し、摺出米風選部２の粃受樋１１に風選された粃を粃籾摺用の籾摺ケースに供給するように構成したことを特徴とするインペラ羽根式籾摺装置。
【発明の詳細な説明】
【技術分野】
【０００１】
本発明は、インペラ羽根型の籾摺装置に関するものである。
【背景技術】
【０００２】
ケーシング内に設けられたインペラ羽根を高速回転しながら供給されてくる籾をケーシング内周面に衝突させて脱ぷする構成の籾摺装置があり、主として小型で高脱ぷ率を得るための籾摺装置として採用されている。ところで、脱ぷ処置するための籾中には精籾に加え成育の遅れ等に起因する粃が混在し、比較的に脱ぷし難いため、この粃処理を各別に行いながら脱ぷ処理の精度を向上させようとする技術がある。
【０００３】
例えば、小径のインペラ羽根と大径のインペラ羽根とを同軸に設けて籾摺装置を構成し、風選装置により籾を粃と精籾とに選別分離し、精籾を小径のインペラ羽根で籾摺し、粃を大径のインペラ羽根により籾摺するものがある（特許文献１）。
【０００４】
また、籾ホッパからの元籾をインペラ羽根式の籾摺装置で籾摺する籾摺選別機において、摺出米風選部の粃選別口に選別された粃を回収用ホースによりインペラ羽根式の籾摺装置に送り、籾摺装置で籾と粃を籾摺するものがある（特許文献２）。
【０００５】
インペラ羽根型の籾摺装置において、インペラ羽根の先端部の傾斜角度を調節して所定の脱ぷ率になるように制御するものがある（特許文献３）。
ところが、上記特許文献のいずれも、供給される籾量への配慮がなく一様に脱ぷ処理する形態であった。
【特許文献１】特開２００２−２３３７７６号公報
【特許文献２】特開平１１−５７５０３号公報
【特許文献３】特開平３−１４６１３９号公報
【発明の開示】
【発明が解決しようとする課題】
【０００６】
この発明は、小径のインペラ羽根と大径のインペラ羽根とを同軸に設けて第１・第２の籾摺装置を構成し、一方の籾摺装置を精籾籾摺用とし他方の籾摺装置を粃籾摺用として、粃の少ない元籾の籾摺作業の際には、粃籾摺用の籾摺装置にも元籾を供給して籾摺し、籾摺能率の向上を図ろうとするものである。
【課題を解決するための手段】
【０００７】
前記問題点を解決するために、この発明は次のような技術的手段を講じた。
請求項１の発明は、籾摺軸４１に並列して取り付けられている大径の第１インペラ羽根４２，…、小径の第２インペラ羽根４４，…を第１籾摺ケース４３、第２籾摺ケース４５で夫れ夫れ被覆して第１・第２籾摺装置を構成し、これら第１・第２籾摺ケース４３，４５の何れか一方を精籾籾摺用とし、何れか他方を粃籾摺用とし、籾ホッパ６の元籾を元籾移送筒４７を経由して前記第１・第２籾摺ケース４３，４５に供給可能に構成し、前記元籾移送筒４７には粃籾摺用の籾摺ケースに供給状態としたりあるいは遮断状態に切り替える供給切替弁５０を設け、摺出米風選部２の粃受樋１１に風選された粃を粃籾摺用の前記籾摺ケースに供給するように構成したことを特徴とする。
【０００８】
前記構成によると、粃の比較的多い元籾の籾摺作業をする場合には、元籾移送筒４７の供給切替弁５０を閉鎖し粃籾摺用の籾摺ケースには元籾を供給しないようにし、籾ホッパ６からの元籾を元籾移送筒４７を経て精籾籾摺用の籾摺ケースだけに供給して籾摺し、摺出米風選部２で風選された粃を粃移送筒５１により粃籾摺用の籾摺ケースに供給して籾摺をする。
【０００９】
また、粃の少ない元籾の籾摺作業をする場合には、元籾移送筒４７の供給切替弁５０を元籾供給状態とし、籾ホッパ６からの元籾を元籾移送筒４７を経由して精籾籾摺用の籾摺ケース４３及び粃籾摺用の籾摺ケースの両方に供給して籾摺をし、摺出米風選部２で風選された少ない粃を粃移送筒５１により粃籾摺用の籾摺ケースに供給し、粃籾摺用の籾摺ケースでは精籾及び粃双方の籾摺をする。
【００１０】
請求項２の発明は、籾摺軸４１に並列して取り付けられている大径の第１インペラ羽根４２，…、小径の第２インペラ羽根４４，…を第１籾摺ケース４３、第２籾摺ケース４５で夫れ夫れ被覆して第１・第２籾摺装置を構成し、これら第１・第２籾摺ケース４３，４５の何れか一方を精籾籾摺用とし、何れか他方を粃籾摺用とし、籾ホッパ６の元籾を移送する元籾移送筒４７を精籾移送用の籾摺ケースに連通しに、前記元籾移送筒４７には粃の漏下するスリット孔５３を設けて該スリット孔５３から漏下した粃を粃籾摺用の籾摺ケースに供給可能に構成し、摺出米風選部２の粃受樋１１に風選された粃を粃籾摺用の籾摺ケースに供給するように構成したことを特徴とする。
【００１１】
前記構成によると、元籾の籾摺作業をする際には、籾ホッパ６の元籾に含まれている粃は元籾移送筒４７の移送途中でスリット孔５３から漏下して粃籾摺用の籾摺ケースに供給されて籾摺され、精籾籾摺用の籾摺ケースには粃の少ない元籾を供給して籾摺し、摺出米風選部２で風選された粃を粃移送筒５１により粃籾摺用の籾摺ケースに供給して籾摺をす
る。
【発明の効果】
【００１２】
請求項１の発明は、粃の少ない元籾の籾摺作業の際には、粃籾摺用の籾摺ケースでは精籾及び粃双方の籾摺作業をするので籾摺能率を高めることができる。
請求項２の発明は、籾ホッパ６の元籾に含まれている粃を精籾籾摺用の籾摺ケースに移送途中で粃籾摺用の籾摺ケースに漏下供給し籾摺をするので、元籾の脱ぷ率を高めながら能率的に籾摺をすることができる。
【発明を実施するための最良の形態】
【００１３】
径の異なるインペラ羽根を同軸に併設して第１・第２籾摺ケースで被覆して第１・第２の籾摺装置を構成し、一方の籾摺ケースを精籾籾摺用とし他方の籾摺ケースを粃籾摺用に区分して籾摺する籾摺装置において、籾タンクから元籾移送筒を経て精籾籾摺用の籾摺ケースへ元籾を供給可能に構成し、前記元籾移送筒には粃籾摺用の籾摺ケースに元籾を供給状態としたりあるいは遮断状態とする切替弁を設け、籾条件によっては籾タンクの元籾を精籾籾摺用の籾摺ケース及び粃籾摺用の籾摺ケース双方に供給して籾摺し、籾摺能率の向上を図ろうとするものである。
【実施例】
【００１４】
先ず、図１及び図２に基づき籾摺選別機の全体構成を説明する。
籾摺選別機は、籾摺部１、籾摺部１からの摺出米を風選する摺出米風選部２、摺出米風選部２で風選した混合米を回転選別筒により籾・玄米に分離選別する混合米選別部３、混合米揚穀機４、玄米揚穀機５により構成されている。
【００１５】
籾摺部１は、籾ホッパ６、インペラ羽根式籾摺装置７で構成されている。インペラ羽根式籾摺装置７は、摺出米風選部２の摺出米風選箱体９の前部一側に配置している籾摺ケース７ａと、籾摺ケース７ａ内に回転自在に設けられているインペラ羽根７ｂ，７ｂ，…と、前記インペラ羽根７ｂ，７ｂ，…の内周部に籾を供給する元籾供給部７ｃと、摺出米を摺出米風選部２に移送供給する摺出米供給筒７ｄにより構成されている。
【００１６】
しかして、籾ホッパ６に供給された元籾は元籾供給部７ｃを経て籾摺ケース７ａの中心部であるインペラ羽根７ｂ，７ｂ，…の中心部に供給され、供給された籾はインペラ羽根７ｂ，７ｂ，…上を外周側に撥ね飛ばされて、外周屈曲部で急激な方向変換がなされて籾摺ケース７ａ外周部のライニングに衝突しその大半が籾摺され、摺出米は摺出米供給筒７ｄ内を上昇旋回しながら摺出米風選部２の摺出米供給ボックス８に供給される。
【００１７】
摺出米風選部２の前側上方には、拡散装置（図示省略）の内装されている摺出米供給ボックス８が設けられていて、籾摺ケース７ａで籾摺された摺出米は摺出米供給筒７ｄを経て摺出米供給ボックス８に供給され、拡散装置（図示省略）により拡散されながら摺出米風選路１０の始端側に供給される。また、摺出米風選部２の摺出米風選箱９内には、後側から前側に向けて斜設した摺出米風選路１０が設けられていて、摺出米風選路１０の中途部下方には粃受樋１１が設けられ、摺出米風選路１０の始端部下方には摺出米受樋１２が設けられていて、摺出米風選路１０の終端部には吸引フアン１３が設けられていて、吸引ファン１３の排風部には排塵筒１４が接続されている。
【００１８】
しかして、摺出米供給ボックス８から摺出米風選路１０の始端側に流下供給された摺出米は摺出米風選路１０で風選され、軽い籾殻や塵埃類は吸引ファン１３、排塵筒１４を経て機外に排出され、重い混合米は摺出米受樋１２に落下選別され、比較的軽い粃は粃受樋１１に落下選別される。
【００１９】
吸引ファン１３を次のように構成してもよい。即ち、ファンケース１３ａのファン軸１３ｂに取り付けるファン羽根３２を、図３に示すように、ファン軸１３ｂ近傍の幅狭状態から外周側に向けて順次幅広状態に変化する幅狭部３２ａと、幅狭部３２ａの外周端部に接続している幅広の長方形部３２ｂとで構成し、しかも、長方形部３２ｂと幅狭部３２ａの外周部一側から他側に向けて回転方向に順次傾斜させて構成する。
【００２０】
しかして、幅狭部３２ａ及び長方形部３２ｂを単に平板状に構成したものに比較して、ファンケース１３ａの角部３３，３３に対する空気の圧力変動が滑らかになり騒音を低減することができる。すなわち、上記のように構成すると、図３（２）で示す実線のように、２点鎖線で示す平板状構成に比して、圧力変動が滑らかになり、もって騒音の低減に寄与する。
【００２１】
また、吸引ファン１３を図４及び図５に示すように構成してもよい。即ち、ファンケース１３ａの排風部に排塵筒１４を接続し、ファンケース１３ａの底板部先端に接続する上り傾斜状に屈曲する排風案内板３４を、左右一側から他側に向けて順次長くなるように連続的に順次変化するように構成する。すなわち、図４に示すように排風案内板は符号３４’で示す部分を切除することによって残る符号３４の部分でもって構成される。このように構成すると、排風案内板３４に対する空気の圧力変動が滑らかとなり騒音を低くすることができる。
【００２２】
また、吸引ファン１３を図６に示すように構成してもよい。即ち、ファンケース１３ａの排風部に排塵筒１４を接続し、ファンケース１３ａの底板部先端には、前記図４及び図５と同様の排風案内板３４を設け、ファンケース１３ａの排風部底板前側部を左右方向（図６（３）では上下方向）に対する傾斜線３７から上り傾斜部分３８を構成し、左右一側から左右他側に向けて傾斜部分３８の前後長さを順次長くするように構成する。このように構成しても、傾斜部分３８に対する空気の圧力変動が滑らかとなり騒音を低くすることができる。
【００２３】
図３〜図６におけるように、吸引ファンを囲う外周縁の端部に圧力変動を緩和する部材を構成することによって、ファンから吐出される空気の急激な圧力変動を緩和することができ、騒音の低減に寄与できる。
【００２４】
また、摺出米風選部２で選別された摺出米を混合米選別部３に揚穀する混合米揚穀機４を図７のように構成してもよい。即ち、混合米揚穀機４をスローワ型に構成して、揚穀羽根の内装されている揚穀ケース４ａと、揚穀ケース４ａの揚穀部に接続している揚穀筒４ｂとで構成し、揚穀ケース４ａにおける揚穀羽根の先端部が接近して回転する部分４ｃを制振材で一体的に構成する。このように構成すると、揚穀羽根と穀粒の衝突により発生する高周波騒音を制振材で構成した部分４ｃで抑え騒音を低くすることができる。
【００２５】
次に、回転選別筒型の混合米選別部３について説明する。摺出米風選箱９の後側上部に混合米選別部３が配置されていて、混合米選別部３は次のように構成されている。選別ケース１６内には前後方向の軸心回りに回転する回転選別筒１５を配置している。選別ケース１６の前側板下部と後側板下部の間には左右一対の駆動軸１７，１７を架設し、この駆動軸１７，１７の前後両端部に駆動ローラー１８，１８，…を夫れ夫れ取り付け、これらの駆動ローラー１８，１８，…上に回転選別筒１５の前・後円筒フランジ部を載置し、回転選別筒１５が回転するように構成している。
【００２６】
回転選別筒１５の中心部には玄米を受ける玄米受樋２０を架設し、玄米受樋２０内には前側に向けて穀粒を移送する玄米ラセン２０ａを設けている。また、玄米受樋２０に沿わせて穀粒汲み上げ側の下方位置に供給樋２２を配置し、供給樋２２には穀粒を後側に移動する供給ラセン２２ａを設け、供給樋２２の後部の供給口から回転選別筒１５の後側である選別始端側に穀粒を供給するように構成している。
【００２７】
また、玄米受樋２０の回転選別筒１５の上昇回転側には、玄米調節弁３９を回動自在に軸支して受け面積を調節できるように構成し、供給樋２２の上昇回転側にも混合米調節弁４０を回動自在に軸支して受け面積を調節できるように構成している。
【００２８】
回転選別筒１５の選別終端部には汲上羽根３０を設け、回転選別筒１５の終端側に流動した籾を主体とした穀粒を汲上羽根３０により汲み上げ、籾還元樋３１を経て籾ホッパ６に還元するように構成している。
【００２９】
しかして、摺出米風選部２で風選された混合米は混合米揚穀機４により混合米ホッパ（図示省略）を経て回転選別筒１５内の供給樋２２の前側部に供給され、次いで供給ラセン２２ａで後側に搬送されて回転選別筒１５の後側の選別始端部に供給される。供給された混合米は、回転選別筒１５の壷穴により汲み上げられ、大粒で長い籾粒や一部の玄米は中途部から落下して下側の供給樋２２に受けられる。供給樋２２に受けられた穀粒は供給ラセン２２ａにより回転選別筒１５の後側の選別始端側に移送されて、回転選別筒１５の選別始端部に供給され再選別される。
【００３０】
また、小粒で短い玄米は高く汲み上げられて玄米受樋２０に落下し、次いで玄米ラセン２０ａで前側に移送され、玄米流下通路２８、玄米樋２９を経て、玄米揚穀機５により機外に取り出される。また、大粒で長い籾粒は低い位置から落下して回転選別筒１５の内周面に回収され、次いで回転選別筒１５の内周面に回収されつつ終端側に流動し、回転選別筒１５の終端部に設けられている汲上羽根３０により汲み上げられ、籾還元樋３１を経て籾摺部１の籾ホッパ６に還元されて再度籾摺される。
【００３１】
次に、図８及び図９に基づきインペラ羽根型の籾摺装置について具体的に説明する。
摺出米風選箱体９には籾摺軸４１を軸架し、主モータ（図示省略）の回転動力が伝動ベルト、籾摺プーリ４２を介して籾摺軸４１に伝達される。籾摺軸４１の箱体内には吸引ファン１３のファン羽根３２を取り付け、籾摺軸４１の箱体から突出した部位には、その内側部に大径の第１インペラ羽根４２，…を取り付け、その外側部には小径の第２インペラ羽根４４，…を並列して取り付けて、第１インペラ羽根４２，…を第１籾摺ケース４３で被覆し、第２インペラ羽根４４，…を第２籾摺ケース４５で被覆している。
【００３２】
そして、籾摺軸４１の一側端部である第１・第２インペラ羽根４２，…、４４，…の内周部には元籾移送筒４７を配置し、籾摺軸４１の元籾移送筒４７の内周部には移送ラセン４６を取り付け、籾ホッパ６から元籾移送筒４７の端部に流下した元籾を内側部に向けて移送するように構成し、元籾移送筒４７の第１供給口４８から第１籾摺ケース４３の中心部に元籾を供給し、元籾移送筒４７の第２供給口４９から第２籾摺ケース４５の中心部に元籾を供給するように構成している。
【００３３】
また、元籾移送筒４７には内外方向に切り替え調節できる供給切替弁５０を設け、供給切替弁５０を内側に移動して元籾移送筒４７の第２供給口４９を閉鎖し第２籾摺ケース４５への元籾供給を遮断して、籾ホッパ６からの元籾を第１籾摺ケース４３にだけ供給したり、あるいは、供給切替弁５０を外側に移動して第２供給口４９を開口し、籾ホッパ６からの元籾を第２籾摺ケース４５及び第１籾摺ケース４３に共に供給できるように構成している。
【００３４】
なお、籾摺軸４１に取り付けられた第１・第２インペラ羽根４２，…、４４，…は、その内周部が元籾移送筒４７の外周側に接近するように籾摺軸４１から延出して取り付けられていて、第１・第２籾摺ケース４３，４５内で第１・第２インペラ羽根４２，…、４４，…が夫れ夫れ回転するように構成されている。
【００３５】
また、粃受樋１１の流下口は粃移送筒５１を経由して第２籾摺ケース４５の中心部に連通されていて、粃受樋１１に選別された粃は第２籾摺ケース４５の吸引力により第２籾摺ケース４５に供給される構成である。そして、第２籾摺ケース４５の外周部には第２インペラ羽根４４，…の先端部に近い位置にライニング５２を設け、第２インペラ羽根４４，…外周の周速が速くて粃の脱ぷ率が高くなるように構成し、第１籾摺ケース４３の外周部には第１インペラ羽根４２，…の先端部から遠い位置にライニング５２を設けて元籾の脱ぷ率を高くしながら穀粒の損傷を防止している。
【００３６】
しかして、粃の比較的多い元籾の籾摺作業をする場合には、元籾移送筒４７の供給切替弁５０を内側に移動して第２供給口４９を閉鎖し、籾ホッパ６からの元籾を元籾移送筒４７を経て第１籾摺ケース４３にだけ供給して籾摺し、摺出米風選路１０で粃受樋１１に選別された粃を粃移送筒５１を経由して第２籾摺ケース４５に供給して籾摺作業をし、粃の籾摺を効率化しながら籾摺作業をすることができる。
【００３７】
また、粃の少ない元籾の籾摺作業をする場合には、元籾移送筒４７の供給切替弁５０を外側に移動して第２供給口４９を開口し、籾ホッパ６からの元籾を元籾移送筒４７から第１籾摺ケース４３及び第２籾摺ケース４５の両方に供給して籾摺をし、摺出米風選路１０で粃受樋１１に選別された粃を粃移送筒５１を経て第２籾摺ケース４５に供給して元籾と共に粃の籾摺をする。従って、第１籾摺ケース４３で元籾の籾摺をし第２籾摺ケース４５では粃及び元籾の籾摺をするので、籾摺能率を高めることができる。
【００３８】
なお、図１０に示すように、元籾移送筒４７における第２籾摺ケース４５の対応部位に粃の漏下するスリット孔５３を設け、籾ホッパ６の元籾を第１籾摺ケース４３に移送する途中で第２籾摺ケース４５に粃を漏下供給し、第２籾摺ケース４５の第２インペラ羽根４４，…で粃の籾摺をするように構成してもよい。このように構成することにより、第１籾摺ケース４３での元籾の脱ぷ率を高め、第２籾摺ケース４５で粃の脱ぷ率を高めることができる。
【００３９】
また、摺出米風選部２の粃受樋１１に選別された粃を籾摺部１に還元するにあたり、図１１に示すように構成してもよい。即ち、粃受樋１１の底部に接続している粃移送筒５１の終端側を第２籾摺ケース４５の中心部に連通し、粃受樋１１の底部上方位置に第２粃移送筒５４の始端側を接続し、第２粃移送筒５４の終端側を摺出米供給筒７ｄに接続する。
【００４０】
このように構成すると、粃受樋１１に選別される粃が所定量以下の場合には、粃は粃移送筒５１を経て第２籾摺ケース４５に還元されて籾摺される。また、粃が所定量を超える場合には、所定量を超える粃は第２粃移送筒５４、摺出米供給筒７ｄを経て摺出米風選部２に還元されて再処理される。従って、粃籾摺用の第２籾摺ケース４５への粃供給量が適正化されて粃の詰まりを防止し、粃の脱ぷ率を向上させながら円滑に籾摺作業をすることができる。なお、第２粃移送筒５４の中途部に切替弁５５を設けて、粃を摺出米供給筒７ｄに移送したり、機外に排出するように構成してもよい。なお、切替弁５５によって機外に連通するダクト５５’は、排塵筒１４に連通してもよい。このように構成すると、過剰な粃分は吸引ファン１３の回転に伴って排塵筒１４に至るから各別の搬送風の起風手段を構成しなくともよい。
【００４１】
次に、図１２に基づきインペラ羽根式籾摺装置の脱ぷ率制御装置について説明する。
インペラ羽根７ｂ，…の取り付けられている籾摺軸４１には、可変プーリ５６を設け、主モータ（図示省略）の動力を受けて回転する駆動プーリ５７と可変プーリ５６との間に伝動ベルト５８を巻き掛けている。可変プーリ５６には可変手段５９を設けて、可変プーリ５６の径を変更調節可能に構成し、調節モータ６０により正転あるいは逆転する調節棒６１を可変手段５９に連係し、可変プーリ５６の径を大小に調節可能に構成している。
【００４２】
籾ホッパ６の流下口には籾供給調節弁６２設け、籾供給調節弁６２には弁開度を検出する弁開度センサ６３を設け、弁開度センサ６３の検出情報を制御部６４に入力するように構成し、籾摺ケース７ａにはインペラ羽根７ｂ，…の回転数を検出する回転数検出センサ６５を設け、回転数検出センサ６５の検出情報を制御部６４に入力するようにに構成している。また、制御部６４の出力側には調節モータ６０を接続している。
【００４３】
しかして、籾摺作業中には、籾ホッパ６から籾摺ケース７ａへの元籾の供給量が弁開度センサ６３により検出され、その検出供給量が制御部６４に入力される。供給検出量が大の場合には、回転数増加指令が出されて、可変手段５９を介して可変プーリ５６が小径側に調節されてインペラ羽根７ｂ，…の回転数が増加調節され、また、供給検出量が小の場合には、回転数減少指令が出され、可変手段５９を介して可変プーリ５６が大径側に調節されてインペラ羽根７ｂ，…の回転数が減少調節され、所定の脱ぷ率を維持し砕米の発生を抑制しながら籾摺作業をすることができる。なお、上記の弁開度センサ６３に代えて流量を検出するセンサ（図示せず）を設け、流量の検出結果に基づいて、インペラ羽根の回転数を高低に変更制御する構成でもよい。
【００４４】
上記のように、インペラ籾摺装置に供給される穀粒量を検出する手段を設けこの穀粒量の大小に基づいてインペラ羽根の回転数制御手段に信号出力しインペラ羽根の回転数を制御すことによって適正な脱ぷ処理行い得て、砕米の発生を防止し、所定の脱ぷ率を得ることができる。
【００４５】
また、混合米選別部３の回転選別筒１５には選別穀粒量を検出する穀粒層厚センサ（図示省略）を設け、穀粒層厚センサが選別穀粒量大（あるいは小）を検出すると、籾摺部１における籾ホッパ６の籾供給調節弁６２を供給量小（あるいは供給量大）側に関連的に調節するように構成し、弁開度センサ６３が籾供給調節弁６２の供給量大を検出した場合には、回転数増加指令が出されて、可変手段５９を介して可変プーリ５６が調節されてインペラ羽根７ｂ，…の回転数が増加調節され、また、供給検出量小を検出した場合には、回転数減少指令が出されて、可変手段５９を介して可変プーリ５６が調節され、インペラ羽根７ｂ，…の回転数が減少調節されるように構成してもよい。
【００４６】
また、穀粒乾燥機の乾燥穀粒データから青米（未熟米、粃）量の大小を制御部６４に入力（あるいは、青米量の大小を人為的に入力）し、籾摺作業が開始されると、元籾の青米量の大小を判定し、青米量大の場合にはインペラ羽根７ｂ，…の回転数を増加調節し、また、青米量小の場合にはインペラ羽根７ｂ，…の回転数を減少調節するように構成してもよい。なお、図１３はその制御フローを示すものである。
【００４７】
また、図１４に示すようにインペラ羽根式籾摺装置のインペラ羽根の回転数調節と穀粒供給量とを回転数調節レバー６７により関連的に調節するように構成してもよい。即ち、回転数調節レバー６７の下端部と可変手段５９とをロッド６８を介して連動連結し、籾摺ケース７ａへの穀粒供給量を調節する籾供給調節弁６２を連係手段６９により回転数調節レバー６７の中途部に連結している。
【００４８】
しかして、回転数調節レバー６７の上部を時計方向の増加調節位置６７ａに回動すると、籾供給調節弁６２が供給量増加側に調節されると共に、可変手段５９が回転数増加側に調節され、また、回転数調節レバー６７の上部を反時計方向の減少調節位置６７ｂに回動すると、籾供給調節弁６２が供給量減少側に調節されると共に、可変手段５９が回転数減少側に調節される。従って供給量が増減変更しても所定の脱ぷ率を維持し砕米の発生を抑制しながら籾摺作業をすることができる。
【図面の簡単な説明】
【００４９】
【図１】全体の側面図
【図２】全体の切断背面図
【図３】（１）吸引ファン部の側断面図、（２）圧力分布図、（３）ファン羽根の正面図及び側面図
【図４】吸引ファン部の斜視図
【図５】別例の吸引ファン部の側断面図、（２）その平面図、（３）圧力分布図
【図６】別例の吸引ファン部の側断面図、（２）更に別例の吸引ファン部の側断面図、（３）その平面図
【図７】（１）混合米揚穀機の前側斜め斜視図、（２）混合米揚穀機の後斜め斜視図
【図８】籾摺部及び吸引ファン部の切断正面図
【図９】（１）元籾移送部の切断平面図、（２）元籾移送部の側断面面図
【図１０】別例の元籾移送部の切断平面図
【図１１】（１）粃処理装置の側面図、（２）粃受け部斜視図
【図１２】制御装置を示すブロック図
【図１３】フローチャート
【図１４】（１）籾摺装置の切断正面図、（２）作動説明側面図
【符号の説明】
【００５０】
１    籾摺部
２    摺出米風選部
３    混合米選別部
６    籾ホッパ
１１    粃受樋
４１    籾摺軸４１
４２    第１インペラ羽根
４３    第１籾摺ケース
４４    第２インペラ羽根
４５    第２籾摺ケース
４７    元籾移送筒
５０    供給切替弁
５１    粃移送筒
５３    スリット孔
【図１】
2005066474.tif 000003
【図２】
2005066474.tif 000004
【図３】
2005066474.tif 000005
【図４】
2005066474.tif 000006
【図５】
2005066474.tif 000007
【図６】
2005066474.tif 000008
【図７】
2005066474.tif 000009
【図８】
2005066474.tif 000010
【図９】
2005066474.tif 000011
【図１０】
2005066474.tif 000012
【図１１】
2005066474.tif 000013
【図１２】
2005066474.tif 000014
【図１３】
2005066474.tif 000015
【図１４】
2005066474.tif 000016